(57)【要約】  本発明は、化粧品を梱包するための軸Ｘのデバイス（１０）であって、収納用区画を画定するベース（１１）と、デバイス（１０）の閉鎖構成とデバイス（１０）の開放構成との間で回転移動可能にベース（１１）に取り付けられた蓋（１２）と、収納用区画に配置されたレセプタクル（１４）とを含むデバイス（１０）に関し、レセプタクル（１４）の側壁（４０）は、弾性的に変形可能な材料を含む。
2019530503.tif 000002
【特許請求の範囲】
【請求項１】
化粧品を梱包するための軸Ｘのデバイス（１０）であって、収納用区画を画定するベース（１１）と、前記デバイス（１０）の閉鎖構成と前記デバイス（１０）の開放構成との間で蝶番（１２２）の軸Ｙを中心として回転移動可能に前記ベース（１１）に取り付けられた蓋（１２）と、前記収納用区画に配置され、底部および側壁（４０）によって境界付けられ、製品Ｐを収容する、軸Ｚのレセプタクル（１４）であって、前記レセプタクル（１４）の前記軸Ｚは、前記ベース（１１）に対して固定されている、レセプタクル（１４）とを含むデバイス（１０）において、前記レセプタクル（１４）の前記側壁（４０）は、弾性的に変形可能な材料を含み、および前記側壁（４０）は、前記ベース（１１）および前記蓋（１２）が共により近づけられることの効果を通じて拡大し、前記デバイス（１０）の前記閉鎖構成において前記蓋（１２）と接触するシーリングガスケットを形成することを特徴とする、デバイス（１０）。
【請求項２】
前記レセプタクル（１４）の前記側壁（４０）は、特に内側に湾曲したプロファイルを画定する角を備えた円形、楕円形または平行六面体断面、特に内側に湾曲したプロファイルを画定する角を備えた三角形、矩形または正方形断面を有する閉鎖された輪郭を有することを特徴とする、請求項１に記載のデバイス。
【請求項３】
前記デバイス（１０）を前記閉鎖構成において保持するための閉鎖デバイス（１２３）を含むことを特徴とする、請求項１または２に記載のデバイス。
【請求項４】
前記蓋（１２）は、透明または不透明であることを特徴とする、請求項１〜３のいずれか一項に記載のデバイス。
【請求項５】
開放時にポップアップ効果を引き起こすように設計されることを特徴とする、請求項１〜４のいずれか一項に記載のデバイス。
【請求項６】
前記レセプタクルは、前記収納用区画において締結されるか、またはリフィルであることを特徴とする、請求項１〜５のいずれか一項に記載のデバイス。
【請求項７】
前記蓋（１２）は、前記デバイス（１０）の前記閉鎖構成において前記側壁（４０）と接触することができる内部スカート（１２０）を設けられることを特徴とする、請求項１〜６のいずれか一項に記載のデバイス。
【請求項８】
前記レセプタクル（１４）は、前記側壁（４０）によって支持部片（１４０）に接続されたカップ（１４１）によって形成されることを特徴とする、請求項１〜７のいずれか一項に記載のデバイス。
【請求項９】
前記レセプタクル（１４）は、クリック止め、スナップ嵌合、螺合または圧力嵌めによって前記ベース（１１）に締結されることを特徴とする、請求項１〜８のいずれか一項に記載のデバイス。
【請求項１０】
前記製品は、ファンデーション、フェイスケア製品、頬紅、アイシャドウ、口紅、リップグロスまたはリップクリームであることを特徴とする、請求項１〜９のいずれか一項に記載のデバイス。
【請求項１１】
化粧方法であって、
（ｉ）請求項１〜１０のいずれか一項に記載の化粧デバイス（１０）を提供するステップと、
（ｉｉ）前記レセプタクル（１４）の前記側壁（４０）を緩めるために前記蓋（１２）を開放するステップと、
（ｉｉｉ）前記レセプタクル（１４）の前記側壁（４０）を圧縮し、かつ前記側壁（４０）を前記蓋（１２）と接触させるために前記蓋（１２）を閉鎖するステップと
を含む方法。
【発明の詳細な説明】
【技術分野】
【０００１】
本発明は、例えば、眉、頬骨または唇などの顔の表面をメーキャップするための化粧品を梱包するためのデバイス、特にメーキャップケースに関する。
【背景技術】
【０００２】
メーキャップ製品は、とりわけ、ファンデーション、頬紅、アイシャドウ、口紅、リップグロスまたはリップクリームである。
【０００３】
これは、特にペースト、ジェルまたは粉体の形態である。
【０００４】
本発明の意味において、「化粧品」は、粉体、液体またはクリームなどの固体など、人間に施されるように設計された化粧品であると理解される。「化粧品」は、より一般的には、化粧品に関する２００９年１１月３０日の欧州議会および理事会の規則（ＥＣ）第１２２３／２００９において定義された製品である。
【０００５】
本発明によると、化粧品は、支持体、例えば発泡体またはスポンジにおいて含浸され得る。
【０００６】
概して、メーキャップケースは、蓋と、製品のリザーブを受けるケース本体とを含む。
【０００７】
ケース内にある製品は、揮発性溶媒を含む可能性があり、蓋が閉鎖されると、ケースは、これらの溶媒が揮発することを防がなければならず、さもなければ製品の保存が不完全なものとなる。
【０００８】
溶媒がない場合、例えば、製品が粉体である場合も同様に、製品漏洩のリスクを回避するために密封された閉鎖が確実にされることに利点がある。
【０００９】
粉体パフであって、その周辺部にシーリングガスケットとして機能するビードを備えた粉体パフを使用することにより、蓋が閉鎖されるとケースが密封されることを保証することが特許出願（特許文献１）において既に提案されている。しかしながら、このケースの密封は、完全に満足のいくものではない。
【００１０】
特許出願（特許文献２）も、蓋と、カップに収容される製品のリザーブを受けるケース本体とを含むケースを提案したものであり、このケースは、カップに固定され、かつケース本体に密封するように押し付けられるシーリングガスケットを含む。この例でも、同様にケースの密封は、完全に最適なものではない。
【００１１】
特許出願（特許文献３）は、化粧品ケースであって、
−  第１化粧用品を受けるように設計された収納用区画を内部に画定するベースと、
−  第１軸でベースに回転移動可能に取り付けられたプレートであって、閉鎖構成と開放構成との間で可動であるプレートと、
−  第２軸でベースに回転移動可能に取り付けられた蓋であって、蓋が閉鎖構成においてプレートを覆う閉鎖位置と開放構成との間で可動である蓋と
を含み、
−  ハウジングは、プレートにおいて提供され、かつ第２化粧用品を受けるように設計され、前記ハウジングは、底部および第２軸が共により近づけられることの効果を通じて直径を増加させるために、底部と、弾性的に変形することができる側壁とを含む、化粧品ケースを開示している。
【００１２】
それにも関わらず、このデバイスは、密封を達成するためにベースと蓋との間に中間プレートを取り付けることを必要とする。
【先行技術文献】
【特許文献】
【００１３】
【特許文献１】欧州特許出願公開第Ａ−７９００１７号明細書
【特許文献２】国際公開第１９９９／０２１４５４号パンフレット
【特許文献３】国際公開第２０１６／０８３６０７号パンフレット
【発明の概要】
【発明が解決しようとする課題】
【００１４】
単純な構造およびより少ない数のコンポーネントを有し、かつより良好な密封を提供することができる、化粧品を梱包するためのデバイスを提案する必要がある。
【００１５】
安価なデバイスの必要性もある。
【００１６】
さらに、使用し易く、空間をほとんどとらず、かつ滑らかな塗布を実施することを可能にするデバイスの必要性もある。
【００１７】
さらに、異なる本体の移動および新たな感覚を伴うデバイスの必要性もある。
【課題を解決するための手段】
【００１８】
本発明は、化粧品を梱包するための軸Ｘのデバイスであって、収納用区画を画定するベースと、デバイスの閉鎖構成とデバイスの開放構成との間で蝶番の軸Ｙを中心として回転移動可能にベースに取り付けられた蓋と、収納用区画に配置され、底部および側壁によって境界付けられ、製品を収容する、軸Ｚのレセプタクルであって、レセプタクルの軸Ｚは、ベースに対して固定されている、レセプタクルとを含むデバイスに関し、レセプタクルの側壁は、弾性的に変形可能な材料を含み、および側壁は、ベースおよび蓋が共により近づけられることの効果を通じて拡大し、デバイスの閉鎖構成において蓋と接触するシーリングガスケットを形成する。
【００１９】
側壁のために、本発明のデバイスは、処方物を取り上げる際にばね付き効果を提供し、心地よい感覚を提供する。デバイスが開放されるとき、ユーザの体の移動を円滑にするためにおよび強化された人間工学のために、側壁は、蓋をわずかに持ち上げる。
【００２０】
デバイスは、より携帯し易くかつより手で保持し易いように最小限のコンポーネントを含むため、より少ない空間を占める。
【００２１】
側壁は、ケースの閉鎖位置においてレセプタクルを保持する役割を果たす。組立体の遊びは、適切な場合には吸収され得、デバイスのためのより大きい製作公差が許容され得る。
【００２２】
側壁は、
−  より少ない閉鎖労力での密封、
−  特定のコンポーネントなしでのポップアップ効果、
−  場合により透明な蓋を使用することによる処方物の表示
を達成するためにカップの周りに周辺密封システムを形成する。
【００２３】
本発明によるデバイスの主な利点は、その構造の簡潔さであり、これは、より複雑なデバイス、例えば国際公開第２０１６／０８３６０７号パンフレットのものと同程度に良好な密封を提供する。
【００２４】
本発明のさらなる目的は、化粧方法であって、
（ｉ）先に説明された化粧デバイスを提供するステップと、
（ｉｉ）レセプタクルの側壁を緩めるために蓋を開放するステップと、
（ｉｉｉ）レセプタクルの側壁を圧縮し、かつ側壁を蓋と接触させるために蓋を閉鎖するステップと
を含む化粧方法である。
【００２５】
主な定義
「軸Ａ」は、長手方向軸Ａを意味する。
【００２６】
「軸Ａのコンポーネントの断面」は、コンポーネントの軸Ａに垂直な断面である。
【００２７】
「レセプタクルの側壁は、ベースおよび蓋が共により近づけられることの効果を通じて拡大する」は、断面においてレセプタクルの平均最大幅が蓋の閉鎖時に増加することを意味する。
【００２８】
「レセプタクルの側壁の高さは、ベースおよび蓋が共により近づけられることの効果を通じて減少する」は、軸Ｘに沿って測定される側壁の平均最大高さが蓋の閉鎖時に減少することを意味する。
【００２９】
好ましい実施形態
好ましくは、本発明によるデバイスは、以下の特徴の１つまたは複数を単独でまたは組み合わせて有する。
−  レセプタクルの側壁は、特に内側に湾曲したプロファイルを画定する角を備えた円形、楕円形または平行六面体断面、特に内側に湾曲したプロファイルを画定する角を備えた三角形、矩形または正方形断面を有する閉鎖された輪郭を有する。
−  これらの形態は、メーキャップケースに適している。
−  デバイスは、デバイスを閉鎖構成において保持するための閉鎖デバイスを含む。閉鎖具は、ロックされるため、密封が向上する。
−  蓋は、透明である。ユーザは、ケースを開放することなく製品の色または使用度を確認することができる。
−  デバイスは、開放時にポップアップ効果を引き起こすように設計される。
−  レセプタクルは、収納用区画において締結されるか、またはリフィルである。
−  蓋は、デバイスの閉鎖構成において弾性的に変形可能な側壁と接触することができる内部スカートを設けられる。この構造は、デバイスの密封を向上させる。
−  レセプタクルは、側壁によって支持部片に接続されたカップによって形成される。したがって、製品と側壁との間の接触は、とりわけ製品が固体である場合に製品の亀裂を回避するために減少する。
−  レセプタクルは、クリック止め、スナップ嵌合、螺合または圧力嵌めによってベースに締結される。この締結により、レセプタクルがベースにおいて適切に保持されることが確実になる。
【００３０】
本発明は、添付の概略および部分図面を参照してその非限定的な実装例の以下の詳細な説明を読むことでより良好に理解される。
【図面の簡単な説明】
【００３１】
【図１】デバイスの開放構成における本発明によるデバイスの軸方向断面図である。
【図２】デバイスの閉鎖構成における図１のデバイスの軸方向断面図である。
【図３】図１におけるデバイスの蓋の上面図である。
【図４】図３における断面線Ｃ−Ｃでの軸方向断面図である。
【図５】図３における断面線Ｄ−Ｄでの軸方向断面図である。
【図６】図４からの詳細Ａを示す。
【図７】図５からの詳細Ｂを示す。
【図８】図１におけるデバイスのベースの上面図である。
【図９】図８における断面線Ｄ−Ｄでのベースの軸方向断面図である。
【図１０】図８における断面線Ｅ−Ｅでのベースの軸方向断面図である。
【図１１】図１０からの詳細Ａを示す。
【図１２】図１におけるデバイスのレセプタクルの上面図である。
【図１３】図１２における断面線Ｐ−Ｐでのレセプタクルの軸方向断面図である。
【図１４】図１３からの詳細Ａを示す。
【発明を実施するための形態】
【００３２】
図１および２は、ベース１１、蓋１２およびレセプタクル１４を含む、円形断面の軸Ｘのメーキャップケース１０を示す。
【００３３】
ケース１０の閉鎖位置において、
−  ケースの直径は、有利には、３ｃｍ〜１２ｃｍ、より好ましくは５ｃｍ〜８ｃｍであり、
−  ケースの高さは、有利には、０．７ｃｍ〜２．５ｃｍ、より好ましくは１ｃｍ〜２ｃｍである。
【００３４】
蓋１２は、図３〜７において別個に示されている。これは、軸Ｙの蝶番１２２によってベース１１に関節接合される。説明された例において、これは、無色、半透明、充填剤なしのプラスチック材料で作られる。これは、例えば、ＡＢＳまたはＰＥＴ／ＰＥＴＧで作られる。
【００３５】
これは、上壁１２１であって、側エッジ１８によって境界付けられ、かつその周辺部で環状リブ１２０によって下方に拡張された上壁１２１を含み、環状リブ１２０の断面は、壁１２１の内面１２５から離れるにつれて減少し、リップ１２４を形成する自由端で終端する。
【００３６】
ベース１１は、図８〜１１において別個に示される。これは、内部にレセプタクル１４を収納する。説明された例において、これは、ＡＢＳから作られているが、別の材料から作ることもできる。
【００３７】
ベース１１は、底壁１６と、円筒形直立部１７であって、共に環状溝２６を画定する２つの同軸軸方向リブ２４および２５を外側で囲む円筒形直立部１７とを有する。底壁１６は、リブ２４および２５間において、３０°に等しい角度の付いた区域である４つの凹部５１、５２、５３、５４を設けられる。
【００３８】
蓋１２は、フック３３であって、ベース１１に位置し、かつ蓋１２の相補的凹部３４において係合するフック３３を含む閉鎖デバイス１２３により、閉鎖位置において保持される。
【００３９】
軸Ｚのレセプタクル１４は、図１２〜１４に示される。これは、側壁４０による、支持部片１４０と製品Ｐを収容するカップ１４１との組立体によって形成される。
【００４０】
カップ１４１は、円筒形状の内部空間４２の境界を定める底壁２０と側方直立部２１とを含む。直立部２１は、ケースの閉鎖構成において蓋１２の内面に当接するエッジ６３において終端する。エッジ６３は、環状ビード６４と共に、側壁４０を締結するための環状溝７３を画定する。
【００４１】
この配置構成は、特に側壁４０の上部を硬化させるという利点を提供し、経時的により良好な挙動および蓋１２の開放時により良好な反跳効果を提供する。
【００４２】
側壁４０は、例えば、熱可塑性エラストマー、例えばＳＥＢＳ、またはニトリルゴム（ＮＢＲ）、またはシリコーンから作られる。
【００４３】
図示の実施形態において、壁４０は、支持部片１４０にオーバーモールドされ得、かつカップ１４１と組み立てられ得る。
【００４４】
側壁４０は、事実上円形の輪郭を有する。しかしながら、楕円または四角形の輪郭など、輪郭の他の形態も想定され得る。
【００４５】
図１３および１４において見られ得るとおり、側壁４０は、凹形中央部分４３を有し、凹面は、軸Ｘの方を向いている。この形態により、側壁４０の押しつぶしと、向上した密封のための、蓋１２の閉鎖時の軸Ｘから反対側方向へのその拡大とが促される。
【００４６】
壁４０は、その上端部において、溝７３に挿入されるエッジ４００で終端し、その下端部において、支持部片１４０に固定された踵部片４３で終端する。支持部片１４０は、底部において、ベース１１の溝２６に収まる周辺ビード１４２によって外向きに拡張された環状軸受構造を形成する。
【００４７】
説明された例において、側壁４０は、単一の部片として作られる。これは、押しつぶされ、蓋１２およびベース１１が共により近づけられることの効果を通じて直径が増加し、高さが減少する。
【００４８】
閉鎖構成において、カップ１４１を閉鎖するシーリングガスケットを形成するために、側壁４０の外面５６が蓋１２の内壁１２５に接触する。蓋１２の環状リブ１２０は、より良好な密封をさらに促すために外面５６に当接する。
【００４９】
蓋の開放位置において、側壁の高さは、例えば、８．１ｃｍであり、その幅は、５．４ｃｍである。蓋の閉鎖位置において、側壁の高さは、例えば、６．７ｃｍであり、その幅は、７．１ｃｍである。
【００５０】
ケースを閉鎖するために、ユーザは、蓋１２をつかみ、それをベース１１により近づける。この移動により、側壁４０がベースと蓋との間で把持されると、蓋１２との密封接触が形成されるまで側壁４０が押しつぶされる。
【００５１】
したがって、単一の移動において、ユーザは、ベース１１と蓋１２との間に密封接触を形成し、かつケース１０を閉鎖構成に置くことが可能である。
【００５２】
閉鎖位置において、蓋１２は、シーリングガスケットに均一な圧力をかける。圧力のこの均一性は、閉鎖デバイス１２３の作用によって促される。
【００５３】
実際のデバイス１０の位置にかかわらず、ケースから漏洩する製品はない。ケース１０は、常に清潔で携帯し易いままである。
【００５４】
反対に、蓋の閉鎖位置からケースを開放するため、ユーザは、凹部３４からフック３３を解放するために閉鎖デバイス１２３を作動させる。
【００５５】
蓋１２がロック解除されると、側壁４０の圧力が減じることにより、蓋１２が開放構成に向かって持ち上がり易くなる。したがって、蓋１２およびベース１１は、互いからより容易に離れ、蓋を持ち上げるためにユーザによって提供される労力が減る。
【００５６】
好ましくは、側壁４０を例外として、ケースを形成する異なる要素は、ポリマータイプの熱可塑性材料、例えばアクリロニトリルブタジエンスチレン（ＡＢＳ）、スチレンアクリロニトリル（ＳＡＮ）またはポリプロピレンの射出成形によって作られる。
【００５７】
当然のことながら、本発明は、ここで説明された例示的実施形態に限定されない。
【００５８】
本発明は、特にケースの任意の形態およびレセプタクルの任意の構造に適用される。
【符号の説明】
【００５９】
１０  デバイス、１１  ベース、１２  蓋、１４  レセプタクル、４０  側壁、１２０  内部スカート、１２２  蝶番、１２３  閉鎖デバイス、１４０  支持部片、１４１  カップ、Ｐ  製品、Ｘ  軸、Ｙ  軸、Ｚ  軸
【図１】
2019530503.tif 000003
【図２】
2019530503.tif 000004
【図３】
2019530503.tif 000005
【図４】
2019530503.tif 000006
【図５】
2019530503.tif 000007
【図６】
2019530503.tif 000008
【図７】
2019530503.tif 000009
【図８】
2019530503.tif 000010
【図９】
2019530503.tif 000011
【図１０】
2019530503.tif 000012
【図１１】
2019530503.tif 000013
【図１２】
2019530503.tif 000014
【図１３】
2019530503.tif 000015
【図１４】
2019530503.tif 000016
【国際調査報告】
2019530503.tif 000017
2019530503.tif 000018